(57)【要約】  【課題】  左チャンネルまたは右チャンネルの単独再生中のＶＳＳへの設定変更や、ＶＳＳ再生中のステレオ再生から左チャンネルまたは右チャンネルの単独再生、左チャンネルまたは右チャンネルの単独再生からステレオ再生への設定変更も可能なオーディオメディア再生装置を提供する。  【解決手段】  ステレオ再生と左チャンネルまたは右チャンネルの単独再生との切り替え要求が有り、現在のモードが、モード１であるときにはモード３へ、モード２であるときにはモード４へ、モード３であるときにはモード１へ、モード４であるときにはモード２へそれぞれ移行される。ＶＳＳをオンまたはオフさせる切り替え要求が有り、現在のモードが、モード１であるときにはモード２へ、モード２であるときにはモード１へ、モード３であるときにはモード４へ、モード４であるときにはモード３へそれぞれ移行される。【選択図】      図３
2006067491.tif 000002
【特許請求の範囲】
【請求項１】
記録媒体に記録された音声を再生する際にバーチャルサラウンドシステムを付加して音
声を再生することも可能なオーディオメディア再生装置において、ステレオ再生かつバー
チャルサラウンドシステムをオフするモード１、ステレオ再生かつバーチャルサラウンド
システムをオンするモード２、左チャンネルまたは右チャンネルの単独再生かつバーチャ
ルサラウンドシステムをオフするモード３、および左チャンネルまたは右チャンネルの単
独再生かつバーチャルサラウンドシステムを一時的にオフするモード４を有し、ステレオ
再生と左チャンネルまたは右チャンネルとの間を切り替える要求が有るか否かを判定する
第１の切替要求判定手段と、この第１の切替要求判定手段により前記切り替え要求が有る
と判定された場合に現在のモードは何であるかを判定する第１のモード判定手段と、前記
モード判定の結果が、モード１であるときにモード３へ、モード２であるときにモード４
へ、モード３であるときにモード１へ、モード４であるときにモード２へそれぞれ移行さ
せる第１のモード移行手段と、バーチャルサラウンドシステムをオンまたはオフさせる切
り替え要求が有るか否かを判定する第２の切替要求判定手段と、この第２の切替要求判定
手段により前記切り替え要求が有ると判定された場合に現在のモードは何であるかを判定
する第２のモード判定手段と、前記モード判定の結果が、モード１であるときにモード２
へ、モード２であるときにモード１へ、モード３であるときにモード４へ、モード４であ
るときにモード３へそれぞれ移行させる第２のモード移行手段とを有するシステムコント
ローラを備えたことを特徴とするオーディオメディア再生装置。
【請求項２】
記録媒体に記録された音声を再生する際にバーチャルサラウンドシステムを付加して音
声を再生することも可能なオーディオメディア再生装置において、複数種のモードを有し
、ステレオ再生と左チャンネルまたは右チャンネルの単独再生とを切り替える要求が有る
か否かを判定する第１の切替要求判定手段と、この第１の切替要求判定手段により前記切
り替え要求が有ると判定された場合に現在のモードは何であるかを判定する第１のモード
判定手段と、前記モード判定の結果に応じてモードを移行させる第１のモード移行手段と
、バーチャルサラウンドシステムをオンまたはオフさせる切り替え要求が有るか否かを判
定する第２の切替要求判定手段と、この第２の切替要求判定手段により前記切り替え要求
が有ると判定された場合に現在のモードは何であるかを判定する第２のモード判定手段と
、前記モード判定の結果に応じてモードを移行させる第２のモード移行手段とを有するシ
ステムコントローラを備えたことを特徴とするオーディオメディア再生装置。
【請求項３】
前記複数種のモードとは、ステレオ再生かつバーチャルサラウンドシステムをオフする
モード１、ステレオ再生かつバーチャルサラウンドシステムをオンするモード２、左チャ
ンネルまたは右チャンネルの単独再生かつバーチャルサラウンドシステムをオフするモー
ド３、および左チャンネルまたは右チャンネルの単独再生かつバーチャルサラウンドシス
テムを一時的にオフするモード４であることを特徴とする請求項２に記載のオーディオメ
ディア再生装置。
【請求項４】
前記第１のモード移行手段は、前記モード判定の結果が、モード１であるときにモード
３へ、モード２であるときにモード４へ、モード３であるときにモード１へ、モード４で
あるときにモード２へそれぞれ移行させることを特徴とする請求項２，３に記載のオーデ
ィオメディア再生装置。
【請求項５】
前記第２のモード移行手段は、前記モード判定の結果が、モード１であるときにモード
２へ、モード２であるときにモード１へ、モード３であるときにモード４へ、モード４で
あるときにモード３へそれぞれ移行させることを特徴とする請求項２，３に記載のオーデ
ィオメディア再生装置。
【発明の詳細な説明】
【技術分野】
【０００１】
本発明は、記録媒体に記録された音声を再生する際にバーチャルサラウンドシステムを
付加して音声を再生することも可能なオーディオメディア再生装置に関する。
【背景技術】
【０００２】
近年、再生音のマルチチャンネル化が進み、一般家庭においても映画館と同等のサラウ
ンド音場を提供する装置が供給されている。例えばＤＶＤ（デジタル・バーサタイル・デ
ィスク）では、映画で広く用いられているドルビー・デジタル方式によってオーディオ信
号が記録されている。この方式は、再生時に前方３チャンネルと後方２チャンネルとスー
パーウーファとの６つのスピーカを用いてオーディオを出力することにより、迫力のある
サラウンド効果を得るものである。しかし、一般家庭で多数のスピーカを設置するには、
スペースとコストに問題がある。
【０００３】
このため、近頃では、前方２つのスピーカのみでサラウンド効果を得るバーチャルサラ
ウンドシステム（ＶＳＳ）がＤＶＤプレイヤやＣＤプレイヤなどのオーディオメディア再
生装置に採用されるようになった。このようなオーディオメディア再生装置では、バーチ
ャルサラウンドシステムを機能させるためのマイクロコンピュータが備えられている。
【特許文献１】特開２００３−１２２３７４号公報
【特許文献２】特開２００２−１７７４５２号公報
【特許文献３】特開２０００−２９５６９８号公報
【発明の開示】
【発明が解決しようとする課題】
【０００４】
ところが、このような従来のオーディオメディア再生装置においては、例えば、Ｌｃｈ
（左チャンネル）またはＲｃｈ（右チャンネル）のモノラル再生（両スピーカによるモノ
ラル再生）のときはバーチャルサラウンドを設定できない構成になっているので、例えば
、カラオケ用ディスクや音楽ＣＤをＬｃｈだけで再生している場合に、ユーザがバーチャ
ルサラウンド設定しようとすると、禁止マークを表示して設定できないようになっている
。また、逆にバーチャルサラウンド設定しているときに、ステレオ再生からＬｃｈのモノ
ラル再生またはＲｃｈのモノラル再生への変更、Ｌｃｈのモノラル再生またはＲｃｈのモ
ノラル再生からステレオ再生への変更を行うことができないようになっている。したがっ
て、このような構成のオーディオメディア再生装置では、ユーザにとっては音声切替に対
して使い勝手が劣るという課題があった。
【０００５】
なお、特許文献１の従来技術は、音響データを複数のスピーカ上で再生することにより
、煩雑な操作を必要とすることなくサラウンド音響を生成するようにしているが、上記の
ような課題を解決するための音声の切り替えに対する処理については開示されていない。
特許文献２の従来技術は、音源からの信号をサラウンドデジタル信号に変換し、このデジ
タル信号をアナログ音声信号に変換することにより、臨場感にあふれた音場を再生できる
ようにしているが、この従来技術も上記のような課題を解決するための音声の切り替えに
対する処理については開示されていない。特許文献３の従来技術は、聴取者の位置に係わ
らず、バーチャルサラウンド効果を得られるようにしているが、この従来技術も上記のよ
うな課題を解決するための音声の切り替えに対する処理については開示されていない。
【０００６】
本発明は、上記のような課題を解決するためになされたもので、左チャンネルまたは右
チャンネルの単独再生中に、ユーザ操作によるバーチャルサラウンドシステムへの設定変
更や、バーチャルサラウンドシステム再生中に、ステレオ再生から左チャンネルまたは右
チャンネル単独再生、左チャンネルまたは右チャンネル単独再生からステレオ再生への設
定変更も可能なオーディオメディア再生装置を提供することを目的とする。
【課題を解決するための手段】
【０００７】
上記目的を達成するために、請求項１の発明は、ステレオ再生かつバーチャルサラウン
ドシステムをオフするモード１、ステレオ再生かつバーチャルサラウンドシステムをオン
するモード２、左チャンネルまたは右チャンネルの単独再生かつバーチャルサラウンドシ
ステムをオフするモード３、および左チャンネルまたは右チャンネルの単独再生かつバー
チャルサラウンドシステムを一時的にオフするモード４を有し、ステレオ再生と左チャン
ネルまたは右チャンネルの単独再生とを切り替える要求が有るか否かを判定する第１の切
替要求判定手段と、この第１の切替要求判定手段により前記切り替え要求が有ると判定さ
れた場合に現在のモードは何であるかを判定する第１のモード判定手段と、前記モード判
定の結果が、モード１であるときにモード３へ、モード２であるときにモード４へ、モー
ド３であるときにモード１へ、モード４であるときにモード２へそれぞれ移行させる第１
のモード移行手段と、バーチャルサラウンドシステムをオンまたはオフさせる切り替え要
求が有るか否かを判定する第２の切替要求判定手段と、この第２の切替要求判定手段によ
り前記切り替え要求が有ると判定された場合に現在のモードは何であるかを判定する第２
のモード判定手段と、前記モード判定の結果が、モード１であるときにモード２へ、モー
ド２であるときにモード１へ、モード３であるときにモード４へ、モード４であるときに
モード３へそれぞれ移行させる第２のモード移行手段とを有するシステムコントローラを
備えたことを特徴とするオーディオメディア再生装置を提供する。
【０００８】
この構成において、第１の切替要求判定手段によりステレオ再生と左チャンネルまたは
右チャンネルの単独再生とを切り替える切り替え要求が有ると判定された場合に、現在の
モードは何であるかが第１のモード判定手段により判定され、前記モード判定の結果が、
第１のモード移行手段により、モード１であるときにはモード３へ、モード２であるとき
にはモード４へ、モード３であるときにはモード１へ、モード４であるときにはモード２
へそれぞれ移行される。
【０００９】
第２の切替要求判定手段によりバーチャルサラウンドシステムをオンまたはオフさせる
切り替え要求が有ると判定された場合に現在のモードは何であるかが第２のモード判定手
段により判定され、前記モード判定の結果が、第２のモード移行手段により、モード１で
あるときにはモード２へ、モード２であるときにはモード１へ、モード３であるときには
モード４へ、モード４であるときにはモード３へそれぞれ移行される。
【００１０】
この構成によれば、左チャンネルまたは右チャンネル単独再生中に、ユーザ操作による
バーチャルサラウンドシステムへの設定変更や、バーチャルサラウンドシステム再生中に
、ステレオ再生から左チャンネルまたは右チャンネルの単独再生、左チャンネルまたは右
チャンネルの単独再生からステレオ再生への設定変更も可能なオーディオメディア再生装
置を得ることができる。
【００１１】
請求項２の発明は、複数種のモードを有し、ステレオ再生と左チャンネルまたは右チャ
ンネルの単独再生とを切り替える要求が有るか否かを判定する第１の切替要求判定手段と
、この第１の切替要求判定手段により前記切り替え要求が有ると判定された場合に現在の
モードは何であるかを判定する第１のモード判定手段と、前記モード判定の結果に応じて
モードを移行させる第１のモード移行手段と、バーチャルサラウンドシステムをオンまた
はオフさせる切り替え要求が有るか否かを判定する第２の切替要求判定手段と、この第２
の切替要求判定手段により前記切り替え要求が有ると判定された場合に現在のモードは何
であるかを判定する第２のモード判定手段と、前記モード判定の結果に応じてモードを移
行させる第２のモード移行手段とを有するシステムコントローラを備えたことを特徴とす
るオーディオメディア再生装置を提供する。
【００１２】
この構成において、ステレオ再生と左チャンネルまたは右チャンネルの単独再生とを切
り替える切り替え要求が有ると判定された場合に、現在のモードは何であるかが第１のモ
ード判定手段により判定され、前記モード判定の結果に応じて、第１のモード移行手段に
よりモードが移行される。
【００１３】
バーチャルサラウンドシステムをオンまたはオフさせる切り替え要求が有ると判定され
た場合に、現在のモードは何であるかが第２のモード判定手段により判定され、前記モー
ド判定の結果に応じて、第２のモード移行手段によりモードが移行される。
【００１４】
この構成によれば、音声切り替えの各種モード変更が可能なオーディオメディア再生装
置を得ることができる。
【００１５】
請求項３の発明では、請求項２の発明において、前記複数種のモードとは、ステレオ再
生かつバーチャルサラウンドシステムをオフするモード１、ステレオ再生かつバーチャル
サラウンドシステムをオンするモード２、左チャンネルまたは右チャンネルの単独再生か
つバーチャルサラウンドシステムをオフするモード３、および左チャンネルまたは右チャ
ンネルの単独再生かつバーチャルサラウンドシステムを一時的にオフするモード４である
ので、左チャンネルまたは右チャンネル単独再生中に、ユーザ操作によるバーチャルサラ
ウンドシステムへの設定変更や、バーチャルサラウンドシステム再生中に、ステレオ再生
から左チャンネルまたは右チャンネルの単独再生、左チャンネルまたは右チャンネルの単
独再生からステレオ再生への設定変更も可能になる。
【００１６】
請求項４の発明では、請求項２，３の発明において、前記第１のモード移行手段は、前
記モード判定の結果が、モード１であるときにモード３へ、モード２であるときにモード
４へ、モード３であるときにモード１へ、モード４であるときにモード２へそれぞれ移行
させるので、ステレオ再生中に左チャンネルまたは右チャンネルの単独再生への設定変更
、左チャンネルまたは右チャンネルの単独再生中にステレオ再生への設定変更、バーチャ
ルサラウンドシステム再生中に、ステレオ再生から左チャンネルまたは右チャンネルの単
独再生、左チャンネルまたは右チャンネルの単独再生からステレオ再生への設定変更が可
能になる。
【００１７】
請求項５の発明では、請求項２，３の発明において、前記第２のモード移行手段は、前
記モード判定の結果が、モード１であるときにモード２へ、モード２であるときにモード
１へ、モード３であるときにモード４へ、モード４であるときにモード３へそれぞれ移行
させるので、ステレオ再生中にユーザ操作によるバーチャルサラウンドシステムへの設定
変更、左チャンネルまたは右チャンネルの単独再生中にユーザ操作によるバーチャルサラ
ウンドシステムへの設定変更が可能になる。
【発明の効果】
【００１８】
以上のように本発明によれば、ステレオ再生かつバーチャルサラウンドシステムをオフ
するモード１、ステレオ再生かつバーチャルサラウンドシステムをオンするモード２、左
チャンネルまたは右チャンネルの単独再生かつバーチャルサラウンドシステムをオフする
モード３、および左チャンネルまたは右チャンネルの単独再生かつバーチャルサラウンド
システムを一時的にオフするモード４を有し、ステレオ再生と左チャンネルまたは右チャ
ンネルの単独再生とを切り替える要求が有るか否かを判定する第１の切替要求判定手段と
、この第１の切替要求判定手段により前記切り替え要求が有ると判定された場合に現在の
モードは何であるかを判定する第１のモード判定手段と、前記モード判定の結果が、モー
ド１であるときにモード３へ、モード２であるときにモード４へ、モード３であるときに
モード１へ、モード４であるときにモード２へそれぞれ移行させる第１のモード移行手段
と、バーチャルサラウンドシステムをオンまたはオフさせる切り替え要求が有るか否かを
判定する第２の切替要求判定手段と、この第２の切替要求判定手段により前記切り替え要
求が有ると判定された場合に現在のモードは何であるかを判定する第２のモード判定手段
と、前記モード判定の結果が、モード１であるときにモード２へ、モード２であるときに
モード１へ、モード３であるときにモード４へ、モード４であるときにモード３へそれぞ
れ移行させる第２のモード移行手段とを有するシステムコントローラを備えたので、左チ
ャンネルまたは右チャンネルの単独再生中に、ユーザ操作によるバーチャルサラウンドシ
ステムへの設定変更や、バーチャルサラウンドシステム再生中に、ステレオ再生から左チ
ャンネルまたは右チャンネルの単独再生、左チャンネルまたは右チャンネルの単独再生か
らステレオ再生への設定変更も可能になり、ユーザにとっては音声切替に対して使い勝手
の良いオーディオメディア再生装置を得ることができる。
【００１９】
また、本発明によれば、複数種のモードを有し、ステレオ再生と左チャンネルまたは右
チャンネルの単独再生とを切り替える要求が有るか否かを判定する第１の切替要求判定手
段と、この第１の切替要求判定手段により前記切り替え要求が有ると判定された場合に現
在のモードは何であるかを判定する第１のモード判定手段と、前記モード判定の結果に応
じてモードを移行させる第１のモード移行手段と、バーチャルサラウンドシステムをオン
またはオフさせる切り替え要求が有るか否かを判定する第２の切替要求判定手段と、この
第２の切替要求判定手段により前記切り替え要求が有ると判定された場合に現在のモード
は何であるかを判定する第２のモード判定手段と、前記モード判定の結果に応じてモード
を移行させる第２のモード移行手段とを有するシステムコントローラを備えたので、音声
切り替えの各種モード変更が可能になり、ユーザにとっては音声切替に対して使い勝手の
良いオーディオメディア再生装置を得ることができる。
【発明を実施するための最良の形態】
【００２０】
以下、添付図面を参照しつつ、本発明の実施の形態について説明する。図１は本発明の
一実施形態に係るオーディオメディア再生装置としてのＤＶＤプレイヤの構成を示すブロ
ック図である。
【００２１】
このＤＶＤプレイヤは、光ディスク１を回転させるスピンドルモータ５と、ＤＶＤであ
る光ディスク１に記録された情報を再生するためのレーザ光を出射すると共に光ディスク
１からの反射光を受光する光ピックアップ２と、この光ピックアップ２を光ディスク１の
半径方向に移動させるためのスレッド３と、システムコントローラ２２の指示に応じてス
ピンドルモータ５およびスレッド３を駆動すると共に光ピックアップ２に内蔵された対物
レンズ（図示せず）を動かすことによりレーザ光の焦点位置を光ディスク１の記録面に対
して垂直方向および水平方向に移動させる制御を行うサーボ制御部４とを備えている。
【００２２】
また、このＤＶＤプレイヤは、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理と誤り訂正処理を行って生成したデータをＲＡＭ７に格納するデジタル信号処理部８と
、システムコントローラ２２の指示に応じてデジタル信号処理部８から出力されたデータ
ストリームの中からオーディオデータとサブピクチャデータとビデオデータとを分離する
ストリーム分離部９とを備えている。
【００２３】
また、このＤＶＤプレイヤは、ストリーム分離部９から出力されたオーディオデータを
入力して所定のデコード処理を行うＤＳＰ（デジタル信号プロセッサ）などから構成され
るオーディオデコーダ１１と、このオーディオデコーダ１１でのデコード処理を行うため
にデータを一時的に格納するＲＡＭ１０と、ストリーム分離部９から出力されたサブピク
チャデータを入力して所定のデコード処理を行うサブピクチャデコーダ１３と、このサブ
ピクチャデコーダ１３でのデコード処理を行うためにデータを一時的に格納するＲＡＭ１
２と、ストリーム分離部９から出力されたビデオデータを入力して所定のデコード処理を
行うビデオデコーダ１５と、このビデオデコーダ１５でのデコード処理を行うためにデー
タを一時的に格納するＲＡＭ１４とを備えている。
【００２４】
また、このＤＶＤプレイヤは、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力された左チャンネルのオーディオデータをアナ
ログのオーディオ信号に変換して左チャンネル側のスピーカ１９ａに供給するＤ／Ａ変換
器１６ａと、オーディオデコーダ１１から出力された右チャンネルのオーディオデータを
アナログのオーディオ信号に変換して右チャンネル側のスピーカ１９ｂに供給するＤ／Ａ
変換器１６ｂとを備えている。
【００２５】
また、このＤＶＤプレイヤは、システムコントローラ２２に対して、再生指示を与える
ための再生キーや、再生停止を指示するための停止キーなどの各種操作キーを有する操作
部２１と、装置全体を制御する前記システムコントローラ２２とを備えている。なお、操
作部２１は、リモートコントローラであっても良いし、装置本体の操作パネルに設けられ
た操作部であっても良い。
【００２６】
また、このＤＶＤプレイヤは、装置の各構成要素を制御したり、装置全体を制御したり
するためのプログラムやデータが記憶されたフラッシュＲＯＭ２３と、このフラッシュＲ
ＯＭ２３のプログラムやデータに従って演算処理を行いシステムコントローラ２２を制御
するＣＰＵ２４とを備えている。
【００２７】
このＤＶＤプレイヤは、ステレオ再生かつバーチャルサラウンドシステムをオフするモ
ード１、ステレオ再生かつバーチャルサラウンドシステムをオンするモード２、左チャン
ネルまたは右チャンネルの単独再生かつバーチャルサラウンドシステムをオフするモード
３、および左チャンネルまたは右チャンネルの単独再生かつバーチャルサラウンドシステ
ムを一時的にオフするモード４を有している。
【００２８】
また、システムコントローラ２２は、ステレオ再生と左チャンネルまたは右チャンネル
の単独再生とを切り替える要求が有るか否かを判定する第１の切替要求判定手段２２１と
、この第１の切替要求判定手段２２１により前記切り替え要求が有ると判定された場合に
現在のモードは何であるかを判定する第１のモード判定手段２２２と、前記モード判定の
結果が、モード１であるときにモード３へ、モード２であるときにモード４へ、モード３
であるときにモード１へ、モード４であるときにモード２へそれぞれ移行させる第１のモ
ード移行手段２２３と、バーチャルサラウンドシステムをオンまたはオフさせる切り替え
要求が有るか否かを判定する第２の切替要求判定手段２２４と、この第２の切替要求判定
手段２２４により前記切り替え要求が有ると判定された場合に現在のモードは何であるか
を判定する第２のモード判定手段２２５と、前記モード判定の結果が、モード１であると
きにモード２へ、モード２であるときにモード１へ、モード３であるときにモード４へ、
モード４であるときにモード３へそれぞれ移行させる第２のモード移行手段２２６とを有
する。
【００２９】
図２は本実施形態においてモードを移行する際に用いられるモード移行テーブルの内容
を示す図である。このモード移行テーブルはフラッシュＲＯＭ２３（図１参照）に記憶さ
れている。図２において、「キーの種類」は操作部２１（図１参照）に設けられているオ
ーディオキーとＶＳＳキーを示す。「現在のモード」は現在設定されているモードを示し
、「移行先のモード」は「現在のモード」に対応する移行先のモードを示す。例えば、オ
ーディオキーを押下したとき、「現在のモード」がモード２であれば、モード４に移行す
る。ＶＳＳキーを押下したとき、「現在のモード」がモード３であれば、モード４に移行
する。
【００３０】
図３は本実施形態において音声に関するモードを移行する処理を説明するためのフロー
チャートである。このフローチャートを参照して本実施形態において音声に関するモード
を移行する処理について説明する。
【００３１】
このＤＶＤプレイヤにＤＶＤである光ディスク１が装填され、この光ディスク１に対す
る再生動作が開始して、光ピックアップ２からの読取信号であるＲＦ信号はＲＦアンプ６
で増幅され、このＲＦアンプ６から出力されたＲＦ信号は、デジタル信号処理部８に与え
られ、デジタルデータに変換された後、光ディスク１のデータフォーマットに応じた信号
復調処理と誤り訂正処理が行われる。
【００３２】
そして、システムコントローラ２２の指示に応じてデジタル信号処理部８から出力され
たデータストリームの中からオーディオデータとサブピクチャデータとビデオデータとが
ストリーム分離部９により分離される。このストリーム分離部９から出力されたオーディ
オデータはオーディオデコーダ１１に与えられて所定処理され、更に、オーディオデコー
ダ１１から出力された左チャンネルのオーディオデータは、Ｄ／Ａ変換器１６ａに与えら
れ、アナログのオーディオ信号に変換され、左チャンネル側のスピーカ１９ａに供給され
て音声化され、オーディオデコーダ１１から出力された右チャンネルのオーディオデータ
は、Ｄ／Ａ変換器１６ｂに与えられ、アナログのオーディオ信号に変換され、右チャンネ
ル側のスピーカ１９ｂに供給されて音声化される。
【００３３】
このようにして音声再生が行われているときに（ステップＳ１）、ユーザが操作部２１
のオーディオキーを押下してステレオ再生からＬｃｈ（左チャンネル）またはＲｃｈ（右
チャンネル）の単独再生に切り替えるための切り替え要求が有るということが、システム
コントローラ２２の第１の切替要求判定手段２２１により判定される（ステップＳ２）。
【００３４】
次に、現在のモードは何であるかが第１のモード判定手段２２２により判定される（ス
テップＳ３）。そして、第１のモード移行手段２２３は次のようにモードを移行させる。
前記モード判定の結果が、モード１であるときにはモード３へ移行させ（ステップＳ４）
、モード２であるときにはモード４へ移行させ（ステップＳ５）、モード３であるときに
はモード１へ移行させ（ステップＳ６）、モード４であるときにはモード２へそれぞれ移
行させる（ステップＳ７）。なお、モード４では、バーチャルサラウンドシステムは一時
的にオフするが、バーチャルサラウンドシステムがオンできるようになったら自動的にオ
ンにするように待機中になっている。
【００３５】
このようなモード移行処理により、ステレオ再生中に左チャンネルまたは右チャンネル
の単独再生への設定変更、左チャンネルまたは右チャンネルの単独再生からステレオ再生
への設定変更、バーチャルサラウンドシステム再生中に、ステレオ再生から左チャンネル
または右チャンネルの単独再生、左チャンネルまたは右チャンネルの単独再生からステレ
オ再生への設定変更が可能になる。
【００３６】
また、第２の切替要求判定手段２２４により、バーチャルサラウンドシステム（ＶＳＳ
）をオンまたはオフさせる切り替え要求が有ると判定された場合には  （ステップＳ８）
、現在のモードは何であるかが第２のモード判定手段２２５により判定される（ステップ
Ｓ９）。そして、第２のモード移行手段２２６は、次のようにモードを移行させる。前記
モード判定の結果が、モード１であるときにはモード２へ移行させ（ステップＳ１０）、
モード２であるときにはモード１へ移行させ（ステップＳ１１）、モード３であるときに
はモード４へ移行させ（ステップＳ１２）、モード４であるときにはモード３へ移行させ
る（ステップＳ１３）。
【００３７】
このようなモード移行処理により、ステレオ再生中にユーザ操作によるバーチャルサラ
ウンドシステムへの設定変更、左チャンネルまたは右チャンネルの単独再生中にユーザ操
作によるバーチャルサラウンドシステムへの設定変更も可能なオーディオメディア再生装
置を得ることができる。
【００３８】
なお、上記実施形態では、オーディオメディア再生装置としてＤＶＤプレイヤを例に挙
げて説明したが、これに限らず、ＣＤプレイヤなどにおいても、音声モードを切り替える
処理に適用できることは言うまでもない。
【図面の簡単な説明】
【００３９】
【図１】本発明の一実施形態に係るオーディオメディア再生装置としてのＤＶＤプレイヤの構成を示すブロック図である。
【図２】前記実施形態においてモードを移行する際に用いられるモード移行テーブルの内容を示す図である。
【図３】前記実施形態において音声に関するモードを移行する処理を説明するためのフローチャートである。
【符号の説明】
【００４０】
１    光ディスク（記録媒体）
２２    システムコントローラ
２２１    第１の切替要求判定手段
２２２    第１のモード判定手段
２２３    第１のモード移行手段
２２４    第２の切替要求判定手段
２２５    第２のモード判定手段
２２６    第２のモード移行手段
【図１】
2006067491.tif 000003
【図２】
2006067491.tif 000004
【図３】
2006067491.tif 000005